(57)【要約】【課題】  患者選択ボタン操作により表示される患者情報が、患者からの呼出情報の表示により隠れることのないナースコールシステムを提供する。【解決手段】  ナースコール親機は、特定の患者の患者情報を表示させるための患者選択ボタンをディスプレイ上に表示し、この画面上に呼出情報や患者情報をポップアップ表示させる制御部を有し、患者選択ボタンがタッチ操作されたら（Ｓ１）、タッチされた患者選択ボタン上の位置を認識し（Ｓ２）、患者選択ボタンのタッチ位置に応じた画面上の部位に患者情報をポップアップ表示させる（Ｓ３）。この時制御部は、表示する呼出情報が画面内に収まるか判断する（Ｓ４）と共に、呼出情報と重ならないか判断（Ｓ６）し、患者情報が見やすい位置に表示されるよう制御する。【選択図】  図７
2011114804.tif 000002
【特許請求の範囲】
【請求項１】
病室のベッド毎に設置されて患者が看護師を呼び出すためのナースコール子機と、ナースステーションに設置されて前記ナースコール子機からの呼び出しに応答するためのナースコール親機と、前記ナースコール子機と前記ナースコール親機との間の通信を制御する制御機とを有し、前記ナースコール親機には入院患者の患者情報及び前記ナースコール子機から呼び出しが発生したら呼出情報を表示するディスプレイ、及び前記ディスプレイに組み付けられて前記患者情報を表示させるためのタッチパネルが設けられてなるナースコールシステムであって、
前記ナースコール親機は、特定の患者情報を表示させるための患者選択ボタンを前記ディスプレイ画面上に表示させる患者選択ボタン表示手段と、
前記患者選択ボタンがタッチ操作されたら、タッチされた患者選択ボタン上の位置情報を認識する操作位置認識手段と、
前記患者選択ボタンのタッチ位置と患者情報の表示位置とを関連付けた表示位置記憶部と、
前記患者選択ボタンのタッチ操作を受けて、患者情報の表示を制御する患者情報表示制御手段とを有し、
前記患者情報表示制御手段は、前記操作位置認識手段が認識した位置情報を基に、前記表示位置記憶部から読み取った表示位置に患者情報をポップアップ表示させることを特徴とするナースコールシステム。
【請求項２】
前記表示位置記憶部は、タッチ操作された患者選択ボタンの表示座標を基準として前記患者情報表示位置を夫々優先順位を付して複数ヶ所記憶し、
前記患者情報表示制御手段は、前記操作位置認識手段が認識した位置情報を基に、前記表示位置記憶部から読み取った位置へ患者情報を表示させた場合の表示エリアを演算し、ディスプレイに収まらないと判断した場合は次の優先順の表示位置を読み取り、表示位置を変更することを特徴とする請求項１記載のナースコールシステム。
【請求項３】
前記表示位置記憶部は、タッチ操作された患者選択ボタンの表示座標を基準として前記患者情報表示位置を夫々優先順位を付して複数ヶ所記憶し、
前記呼出情報や前記患者情報が表示されている状態で、患者選択ボタンがタッチ操作されたら、前記患者情報表示制御手段は、前記操作位置認識手段が認識した位置情報を基に、前記表示位置記憶部から読み取った位置へ患者情報を表示させた場合の表示エリアを演算し、
既に表示されている前記患者情報や呼出情報の表示位置に重なると判断した場合は次の優先順の表示位置を読み取り、表示位置を変更することを特徴とする請求項１又は２記載のナースコールシステム。
【発明の詳細な説明】
【技術分野】
【０００１】
本発明はナースコールシステムに関し、特にナースコール親機に患者情報を表示するディスプレイを備えて、患者情報をディスプレイにポップアップ表示するナースコールシステムに関する。
【背景技術】
【０００２】
従来より、患者がナースコール操作したことを表示したり、特定の患者に関する情報を表示するディスプレイをナースコール親機に設けたナースコールシステムがある。例えば特許文献１では、ナースコール親機としてパーソナルコンピュータを使用し、待受時は病棟のレイアウトに合わせて患者氏名を表示させ、ナースコール有りを示す呼出情報をポップアップ表示したり、表示されている患者氏名がタッチ操作されると、タッチした部位の患者の患者情報がディスプレイ上にポップアップ表示される。この表示動作は、ディスプレイ上の患者の氏名表示エリアを患者選択ボタンとしてタッチセンサを配置し、見たい患者氏名をタッチする簡単な操作で必要な患者情報を入手することを可能とした。
【先行技術文献】
【特許文献】
【０００３】
【特許文献１】特開２００８−８５８４３号公報
【発明の概要】
【発明が解決しようとする課題】
【０００４】
上記従来のナースコールシステムでは、呼出情報や患者情報をポップアップ表示する場合、呼出情報は重要であるため、その表示の方が患者情報の表示より優先されるよう表示優先度が高く設定されている。そのため、患者情報を表示する際に呼出情報が表示されている場合は、呼出情報にポップアップ表示された患者情報が隠れてしまうことがあり、その場合は患者情報の確認がし辛かった。
【０００５】
そこで、本発明はこのような問題点に鑑み、患者情報表示操作により表示される患者情報が、呼出情報の表示を優先しつつ隠れることのないナースコールシステムを提供することを目的としている。
【課題を解決するための手段】
【０００６】
上記課題を解決する為に、請求項１の発明は、病室のベッド毎に設置されて患者が看護師を呼び出すためのナースコール子機と、ナースステーションに設置されてナースコール子機からの呼び出しに応答するためのナースコール親機と、ナースコール子機とナースコール親機との間の通信を制御する制御機とを有し、ナースコール親機には入院患者の患者情報及びナースコール子機から呼び出しが発生したら呼出情報を表示するディスプレイ、及びディスプレイに組み付けられて患者情報を表示させるためのタッチパネルが設けられてなるナースコールシステムであって、ナースコール親機は、特定の患者情報を表示させるための患者選択ボタンをディスプレイ画面上に表示させる患者選択ボタン表示手段と、患者選択ボタンがタッチ操作されたら、タッチされた患者選択ボタン上の位置情報を認識する操作位置認識手段と、患者選択ボタンのタッチ位置と患者情報の表示位置とを関連付けた表示位置記憶部と、患者選択ボタンのタッチ操作を受けて、患者情報の表示を制御する患者情報表示制御手段とを有し、患者情報表示制御手段は、操作位置認識手段が認識した位置情報を基に表示位置記憶部から読み取った表示位置に患者情報をポップアップ表示させることを特徴とする。
この構成によれば、患者選択ボタンのタッチ位置により患者情報の表示位置が異なる。そのため、操作者が患者情報の表示位置を指定して、呼出情報が表示されていても重ならないように且つ速やかに患者情報を表示させることができる。よって、呼出情報の表示を優先した状態でも、表示された患者情報が呼出情報に隠れてしまうような状態を防止することが可能となり、看護師は患者情報を確認し易い。
【０００７】
請求項２の発明は、請求項１に記載の構成において、表示位置記憶部は、タッチ操作された患者選択ボタンの表示座標を基準として患者情報表示位置を夫々優先順位を付して複数ヶ所記憶し、患者情報表示制御手段は、操作位置認識手段が認識した位置情報を基に、表示位置記憶部から読み取った位置へ患者情報を表示させた場合の表示エリアを演算し、ディスプレイに収まらないと判断した場合は次の優先順の表示位置を読み取り、表示位置を変更することを特徴とする。
この構成によれば、患者選択ボタンの操作により表示される患者情報がディスプレイ画面内に納まらない場合には、患者情報の表示位置を画面内に納まる表示位置へ自動変更するので、一部しか表示されていない患者情報を画面内に移動する面倒な操作を行う必要がなく、看護師は患者情報を確認しやすくなる。
【０００８】
請求項３の発明は、請求項１又は２に記載の構成において、表示位置記憶部は、タッチ操作された患者選択ボタンの表示座標を基準として患者情報表示位置を夫々優先順位を付して複数ヶ所記憶し、呼出情報や患者情報が表示されている状態で、患者選択ボタンがタッチ操作されたら、患者情報表示制御手段は、操作位置認識手段が認識した位置情報を基に、表示位置記憶部から読み取った位置へ患者情報を表示させた場合の表示エリアを演算し、既に表示されている患者情報や呼出情報の表示位置に重なると判断した場合は次の優先順の表示位置を読み取り、表示位置を変更することを特徴とする。
この構成によれば、患者選択ボタンの操作により表示される患者情報が既に表示されている呼出情報や他の患者情報と重なるような場合には、患者情報の表示位置を呼出情報や他の患者情報と重ならない位置へ自動変更する。よって、表示位置を選択したにも拘わらず呼出情報に患者情報が隠れてしまう状態や、他の患者情報を隠してしまう事態を回避でき、表示された患者情報を移動する操作が必要無く、看護師は患者情報を確認しやすくなる。
【発明の効果】
【０００９】
本発明によれば、患者選択ボタンのタッチ位置により患者情報の表示位置が異なるので、操作者が患者情報の表示位置を選択でき、呼出情報が表示されていても重ならないように且つ速やかに患者情報を表示させることができる。よって、表示された患者情報が呼出情報に隠れてしまうような状態を防止でき、看護師は患者情報を確認し易い。
【図面の簡単な説明】
【００１０】
【図１】本発明に係るナースコールシステムの一例を示す構成図である。
【図２】ナースコール親機のブロック図である。
【図３】呼出情報と患者情報の表示位置を示すディスプレイ表示説明図である。
【図４】患者選択ボタンのタッチ部位と患者情報表示位置の関係を示す図である。
【図５】患者情報表示位置の優先順位を設定した表示位置設定テーブルである。
【図６】患者情報表示動作の流れを示すフローチャートである。
【図７】呼出情報と患者情報の表示位置を示すディスプレイ表示説明図である。
【図８】呼出情報と患者情報の表示位置を示すディスプレイ表示説明図である。
【図９】表示される患者情報が画面内に収まるかどうか判断する画面座標説明図である。
【図１０】表示される患者情報が呼出情報に重ならないか判断する画面座標説明図である。
【発明を実施するための形態】
【００１１】
以下、本発明を具体化した実施の形態を、図面に基づいて詳細に説明する。図１は、本発明に係るナースコールシステムの構成図を示し、１は病室のベッド毎に設置されて患者が看護師を呼び出すためのナースコール子機、２は病室毎に入口に設置されて入院患者の情報を表示し、また患者からの呼び出しを報知するための廊下灯、３はナースステーションに設置されてナースコール子機１からの呼び出しを報知して応答するためのナースコール親機、４はナースコール子機１とナースコール親機３との間の通信を制御する制御機である。
ナースコール子機１は病室毎に廊下灯２に伝送線Ｌ１で接続され、廊下灯２は廊下灯幹線Ｌ２により制御機４に接続されている。また、ナースコール親機３は伝送線Ｌ３により制御機４に接続されている。
【００１２】
ナースコール親機３は、入院患者の情報（患者情報）及びナースコール子機１からの呼び出しを看護師に通知するための呼出情報を表示するディスプレイ１１を備えたパーソナルコンピュータから成るデスクトップ型親機３ａと、呼び出しに応答するためのハンドセットを備えた卓上型親機３ｂとを備え、全体は図２のブロック図に示すように構成されている。
【００１３】
図２に示すように、ナースコール親機３は、ナースコール子機１を介して患者と通話するためのマイク１２及びスピーカ１３、このマイク１２及びスピーカ１３を制御する通話回路１４、ディスプレイ１１に組み付けられたタッチパネル１５、入院患者個々の患者情報を記憶する患者情報記憶部１６、後述する患者選択ボタンのタッチ位置と患者情報の表示位置との関係を記憶する表示位置記憶部１７、ディスプレイ１１に表示された患者情報等の座標を記憶する座標記憶部１８、ディスプレイ１１に表示する映像及び画像を処理する映像回路１９、ナースコール親機３全体を制御する制御部２０、制御機４と通信するための通信回路２１等を備えている。尚、患者情報とは、患者の氏名、性別に加えて、年齢、担当医師、看護区分、診療科目等であり、入院患者の詳細情報をいう。
【００１４】
上記の如く構成されたナースコールシステムの動作を次に説明する。但し、患者によりナースコール子機１が操作されて、ナースコール親機３において呼び出しを報知する動作、更にナースコール親機３を応答操作することで看護師と患者の間で通話が実施される動作に関しては従来と同様であるため説明を省略し、ここではナースコール親機３のディスプレイ１１の表示動作を中心に説明する。
【００１５】
ナースコール親機３は、患者からの呼び出しがない待受状態では、ディスプレイ１１に病室番号やベッド番号と共に入院患者の氏名を表示するよう設定されている。この患者氏名は、例えば病棟のレイアウトに合わせて表示され、個々の患者氏名表示部はタッチパネル１５と組み合わせられて後述する患者選択ボタン１５ａを構成している。
【００１６】
図３は、この患者氏名を表示した状態で、呼出情報Ｊ、患者情報Ｋがポップアップ表示されたディスプレイ１１の画面を模式的に示している。患者氏名は、病室番号と共に矩形の枠で囲まれた患者氏名表示部Ｂを形成して表示され、この枠で囲まれたエリアがタッチパネル１５の患者選択ボタン１５ａとなっている。
呼出情報Ｊはナースコール子機１の呼出操作を受けて表示され、患者情報Ｋは患者選択ボタン１５ａがタッチ操作されると表示される。何れの表示も、制御部２０の制御で実施される。
【００１７】
患者選択ボタン１５ａは、図４の表示画面説明図に示すように９分割（ａ１，ａ２・・・ａ９）されたエリアで構成され、タッチする場所により患者情報Ｋの表示位置が決定される。患者情報Ｋの表示位置は、患者選択ボタン１５ａの周囲８箇所（ｋ１，ｋ２・・・ｋ３）に設定されており、タッチする場所により、このうちの何れかに決定される。
【００１８】
具体的に、図５の表示位置設定テーブルに示すように、例えばエリアａ１がタッチ操作されるとｋ１の表示位置へ表示され、エリアａ２がタッチ操作されると患者情報Ｋを表示位置ｋ２へ表示される。従って、上記図３に示すディスプレイ１１の左下の位置に患者情報Ｋが表示されるのは、図４に示す患者選択ボタン１５ａの左下の部位ａ１がタッチ操作された場合となる。
そして図５に示すように、この設定された表示位置の設定は、個々のタッチエリアに対して順位が付けられて複数設定されている。表示位置記憶部１７は、この図５に示す表示位置設定テーブルを記憶している。
【００１９】
以下、制御部２０による患者情報の表示制御を図６のフローチャートに基づいて説明する。患者選択ボタン１５ａがタッチ操作される（Ｓ１）と、タッチパネル１５から９個のエリアａ１，ａ２・・ａ９のうちタッチされたエリアを認識する（Ｓ２）。このタッチされたエリア情報を基に、表示位置記憶部１７から患者情報の表示位置を読み取り、患者選択ボタン１５ａの座標に対する患者情報表示座標を演算して決定する（Ｓ３）。
【００２０】
次に、こうして決定した患者情報表示位置が、ディスプレイ１１の画面内に収まるか判断し（Ｓ４）、収まると判断した場合は更に他に表示中の呼出情報や患者情報と重ならないか判断（Ｓ６）し、重ならないと判断したら優先順位最上位の位置に患者情報を表示する（Ｓ８）。
ディスプレイ１１に収まらないと判断した場合（Ｓ４でＮＯ）は、患者情報の表示位置を次の優先順位の位置に変更し（Ｓ５）、再度ディスプレイ１１の画面内に収まるか判断（Ｓ４）する。また、表示中の呼出情報或いは患者情報と重なると判断したら（Ｓ６でＮＯ）、患者情報の表示位置を次の優先順位の位置に変更（Ｓ７）し、再度重なりが発生しないか判断（Ｓ６）する。
【００２１】
具体的に、この表示位置の変更制御を説明する。上記図３の表示例の場合は、病室番号「１０１」の患者選択ボタンのａ１のエリアがタッチされたことを認識し、関連する患者情報を患者情報記憶部１６から読みとる。更に表示位置記憶部１７から位置ｋ１へ患者情報の表示を認識し、表示位置ｋ１が画面からはみ出さず且つ呼出情報等に隠れないことを認識したら、この表示位置ｋ１に病室番号「１０１」の患者情報を表示する。
【００２２】
また、表示位置が画面からはみ出す場合を図７に示している。図７のディスプレイ表示説明図に示すように、呼出情報Ｊが見たい患者の患者選択ボタン１５の右側に表示されている時に、例えば反対側である左側画面隅部となるｋ１への表示操作が試みられた場合、収まらない場合が発生する。この状態を認識した制御部２０は、次の優先順位の表示位置ｋ６への表示を試みる。しかし、ｋ６も収まらないことを認識し、優先順位３番目のｋ３への表示位置の変更補正を行う。この結果、ｋ３への表示は画面内に収まり、呼出情報との重なりもないことを認識して、表示位置が決定される。
【００２３】
更に、表示位置が呼出情報に重なる場合を図８に示している。図８のディスプレイ表示説明図に示すように、呼出情報Ｊが患者選択ボタン１５ａの右下に表示されている時に、間違えて例えば患者選択ボタン１５ａのエリアａ３がタッチ操作された場合、患者情報の表示位置はｋ３になる。この結果、呼出情報Ｊと表示位置が重なり、患者情報Ｋが隠れてしまう。そのため、制御部２０はこれを認識して次の優先順位を読み取り、表示位置を変更する補正を行い、次の優先順位の表示位置ｋ８へ変更する。この変更により、表示位置が重ならないと判断したら、その補正された表示位置ｋ８へ患者情報を表示する。
但し、選択された表示位置の何れにも重なることにより表示できない場合は、最上位の優先順位の位置に表示される。
【００２４】
これら一連の判断、即ちポップアップ表示させる患者情報が画面内に収まるかどうかの判断、或いは呼出情報に重なるかどうかの判断は、次のような演算により実施される。図９、図１０は、表示される患者情報や呼出情報の画面座標の説明図であり、この図を用いて具体的に説明する。
まず座標記憶部１８には、ディスプレイ１１の左上端部を原点座標（Ｘ０，Ｙ０）とし、画面右下の座標（Ｘｍ，Ｙｍ）が固定値として記憶されている。また、ポップアップ表示する患者情報Ｋの左上端部を基準とした大きさ（Ｘｋｍ，Ｙｋｍ）、及び呼出情報Ｊの左上端部を基準とした大きさ（Ｘｙｍ，Ｙｙｍ）が固定値として記憶されている。
更に、患者選択ボタン１５ａも左上端部を基準とした大きさ（Ｘｓｍ，Ｙｓｍ）が固定値として記憶され、９分割されたタッチエリアａ１，ａ２・・ａ９を座標で記憶している。合わせてこの選択ボタン１５ａ内のタッチ位置に応じた患者情報の表示位置も患者選択ボタン１５ａの位置を基準として記憶している。
【００２５】
そして、ディスプレイ１１の画面上に表示された病室番号「１０１」の患者選択ボタン１５ａの原点Ｄ１の座標を、図９に示すように例えば（Ｘｄ，Ｙｄ）とすると、制御部２０はその右下端部の座標Ｄ２を（Ｘｄ＋Ｘｓｍ，Ｙｄ＋Ｙｓｍ）と認識する。こうして患者選択ボタン１５ａのエリアを認識する。
更に、患者情報Ｋを表示する座標もこの患者選択ボタン１５ａの画面上の座標から演算され、図４に示す８箇所の表示位置ｋｉ（ｉ＝１〜８）の座標（Ｘｄ，Ｙｄ）から見た相対的な原点座標（Ｘｋｉ，Ｙｋｉ）が決定される。例えば、表示位置ｋ１の絶対的な原点座標は（Ｘｋ１＋Ｘｄ，Ｙｋ１＋Ｙｄ）となる。
【００２６】
尚、図４に示すように患者選択ボタン１５ａと患者情報Ｋが接している場合、次式の関係が成り立つ。
Ｘｋ１＝Ｘｋ４＝Ｘｋ６＝−Ｘｋｍ（ｋ１，ｋ４，ｋ６の患者情報Ｋは患者選択ボタン１５ａの左側に接するため）
Ｘｋ２＝Ｘｋ７（ｋ２，ｋ７の患者情報Ｋは患者選択ボタン１５ａの上下で対称であるため）
Ｘｋ３＝Ｘｋ５＝Ｘｋ８＝Ｘｓｍ（ｋ３，ｋ５，ｋ８の患者情報Ｋは患者選択ボタン１５ａの右側に接するため）
Ｙｋ２＝Ｙｓｍ，（ｋ２の患者情報Ｋは患者選択ボタン１５ａの下辺に接するため）
Ｙｋ７＝−Ｙｋｍ（ｋ７の患者情報Ｋは患者選択ボタン１５ａの上辺に接するため）
また、図４の配置において、患者選択ボタン１５ａと患者情報Ｋに隙間を設けて表示している場合は、次式が成り立つ。
Ｘｋ１＝Ｘｋ４＝Ｘｋ６＝−（Ｘｋｍ＋隙間）（ｋ１，ｋ４，ｋ６の患者情報Ｋは患者選択ボタン１５ａの左側に接するため）
Ｘｋ２＝Ｘｋ７（ｋ２，ｋ７の患者情報Ｋは患者選択ボタン１５ａの上下で対称であるため）
Ｘｋ３＝Ｘｋ５＝Ｘｋ８＝Ｘｓｍ＋隙間（ｋ３，ｋ５，ｋ８の患者情報Ｋは患者選択ボタン１５ａの右側に接するため）
Ｙｋ２＝Ｙｓｍ，（ｋ２の患者情報Ｋは患者選択ボタン１５ａの下辺に接するため）
Ｙｋ７＝−（Ｙｋｍ＋隙間）（ｋ７の患者情報Ｋは患者選択ボタン１５ａの上辺に接するため）
【００２７】
呼出情報Ｊの表示位置は画面上で予め設定され、図１０に示す病室番号「１０１」の呼出情報ｊ１に示すように、左上端部の原点が画面上の座標（Ｘｅ０，Ｙｅ０）に配置される。この時、右下端部の座標は（Ｘｅ０＋Ｘｙｍ，Ｙｅ０＋Ｙｙｍ）となる。
尚、図１０において既に表示されている病室番号「１０２」の呼出情報ｊ２は、ポップアップ表示された呼出情報Ｊを操作者が移動させた状態を示し、この場合の原点座標を（Ｘｅ１，Ｙｅ１）とすると、右下端部の座標は（Ｘｅ１＋Ｘｙｍ，Ｙｅ１＋Ｙｙｍ）となる。ポップアップ表示された呼出情報Ｊや患者情報Ｋは、タッチした状態で移動操作すると任意の位置に移動させることができる。
【００２８】
こうして設定した座標を基に、いま病室番号「１０１」の患者情報Ｋの表示位置が図９に示すようにｋ１に決定されたとすると、制御部２０が次の演算を行い判断する。ディスプレイ１１の原点座標（Ｘ０，Ｙ０）、大きさ（Ｘｍ，Ｙｍ）と、患者情報Ｋの表示座標である原点（Ｘｋ１＋Ｘｄ，Ｙｋ１＋Ｙｄ）、右下の座標（Ｘｋ１＋Ｘｄ＋Ｘｋｍ，Ｙｋ１＋Ｙｄ＋Ｙｋｍ）の比較を行い、画面内に収まるか判断する。
詳しくは、
Ｘ０＞（Ｘｋ１＋Ｘｄ）
と判断すると、患者情報Ｋは画面の左側にはみ出していると判断する。また、
Ｙｍ＜（Ｙｋ１＋Ｙｄ＋Ｙｋｍ）
の関係にあると判断したら、画面下側にはみ出していると判断する。但し、図９では下側にはみ出してはいない。
【００２９】
また、患者情報の表示位置が例えばｋ８に決定されたとき、図９に示すように画面の座標（Ｘ０，Ｙ０）、大きさ（Ｘｍ，Ｙｍ）と、患者情報の表示座標（Ｘｋ８＋Ｘｄ，Ｙｋ８＋Ｙｄ）、その右下の座標（Ｘｋ８＋Ｘｄ＋Ｘｋｍ，Ｙｋ８＋Ｙｄ＋Ｙｋｍ）の比較を行い、
Ｘｍ＜（Ｘｋ８＋Ｘｄ＋Ｘｋｍ）
の関係から患者情報は画面の右側にはみ出していると判断する。但し、図９では右側にはみ出してはいない。また、
Ｙ０＞（Ｙｋ８＋Ｙｄ）
の関係にあると判断したら、患者情報Ｋは画面の上側にはみ出していると判断する。
【００３０】
重なる場合の判断は次のように演算し判断する。図１０に示すように、患者情報Ｋの表示位置が例えばｋ５に決定されたとき、病室番号「１０１」の呼出情報Ｊの原点表示座標（Ｘｅ０，Ｙｅ０）、右下端部の座標（Ｘｅ０＋Ｘｙｍ，Ｙｅ０＋Ｙｙｍ）と、患者情報Ｋの原点表示座標（Ｘｋ５＋Ｘｄ，Ｙｋ５＋Ｙｄ）、右下端部の座標（Ｘｋ５＋Ｘｄ＋Ｘｋｍ，Ｙｋ５＋Ｙｄ＋Ｙｋｍ）の比較を行い、
（（Ｘｅ０＜（Ｘｋ５＋Ｘｄ）＜（Ｘｅ０＋Ｘｙｍ））ＯＲ（（Ｘｋ５＋Ｘｄ）＜Ｘｅ０＜（Ｘｋ５＋Ｘｄ＋Ｘｋｍ）））
ＡＮＤ
（（Ｙｅ０＜（Ｙｋ５＋Ｙｄ）＜（Ｙｅ０＋Ｙｙｍ））ＯＲ（（Ｙｋ５＋Ｙｄ）＜Ｙｅ０＜（Ｙｋ５＋Ｙｄ＋Ｙｋｍ）））
の関係を満たすとき、患者情報と呼出情報は重なっていると判断する。
こうして、ｋ５の表示位置が重なると判断された場合は、図１０に示すように次の優先順位であるｋ４の位置に患者情報Ｋを表示しようとするが、この位置も重なりが発生することを同様の演算により認識することになるため、次の優先順位である位置を探しにいく。
【００３１】
このように、患者選択ボタン１５ａのタッチ位置により患者情報の表示位置が異なる。そのため、操作者が患者情報の表示位置を指定して、呼出情報が表示されていても重ならないように且つ速やかに患者情報を表示させることができる。よって、呼出情報の表示を優先させた状態でも、表示された患者情報が呼出情報に隠れてしまうような状態を防止することが可能となり、看護師は患者情報を確認し易い。
また、患者選択ボタン１５ａ操作により表示される患者情報がディスプレイ１１の画面内に納まらない場合には、患者情報の表示位置が画面内に納まる表示位置へ自動変更されるので、一部しか表示されていない患者情報を画面内に移動する面倒な操作を行う必要がない。
更に、患者選択ボタン１５ａの操作により表示される患者情報が、既に表示されている呼出情報や他の患者情報と重なるような場合には、患者情報の表示位置を呼出情報や他の患者情報と重ならない位置へ自動変更する。よって、表示位置を選択したにも拘わらず呼出情報に患者情報が隠れてしまう状態や、他の患者情報を隠してしまう事態を回避でき、表示された患者情報を移動する面倒な操作が必要無い。
【００３２】
尚、上記重なりを検出する論理式を簡潔に表すと、表示座標（Ｘ１，Ｙ１）、大きさ（ＸＳ１，ＹＳ１）の矩形Ａと、表示座標（Ｘ２，Ｙ２）、大きさ（ＸＳ２，ＹＳ２）の矩形Ｂの重なりは、次のようになる。
（（Ｘ１＜Ｘ２＜（Ｘ１＋ＸＳ１））ＯＲ（Ｘ２＜Ｘ１＜（Ｘ２＋ＸＳ２）））ＡＮＤ
（（Ｙ１＜Ｙ２＜（Ｙ１＋ＹＳ１））ＯＲ（Ｙ２＜Ｙ１＜（Ｙ２＋ＹＳ２）））
また、上記実施形態では、図５に示すように患者情報表示位置の優先順位を設定しているが、この順位は任意である。
更に、操作したい患者選択ボタン１５ａ自体が呼出情報Ｊに隠れている場合は、呼出情報Ｊを移動操作すれば良い。
また、上記実施形態では、患者選択ボタン１５ａが患者氏名と病室番号とで表示されているが、個室でない場合はベッド番号が追加されて表示される。
【産業上の利用可能性】
【００３３】
上記実施形態は、病院で使用されるナースコールシステムについて説明したが、トイレや寝室に緊急呼出ボタンを備えた高齢者向けの集合住宅に設置されるインターホンシステムとして、本発明のナースコールシステムを好適に使用することができる。この場合、上記ナースコール親機３は管理室等に設置すれば良い。
【符号の説明】
【００３４】
１・・ナースコール子機、３・・ナースコール親機、４・・制御機、１１・・ディスプレイ、１５・・タッチパネル、１５ａ・・患者選択ボタン、１６・・患者情報記憶部、１７・・表示位置記憶部、２０・・制御部（患者選択ボタン表示手段、操作位置認識手段、患者情報表示制御手段）。
【図１】
2011114804.tif 000003
【図２】
2011114804.tif 000004
【図３】
2011114804.tif 000005
【図４】
2011114804.tif 000006
【図５】
2011114804.tif 000007
【図６】
2011114804.tif 000008
【図７】
2011114804.tif 000009
【図８】
2011114804.tif 000010
【図９】
2011114804.tif 000011
【図１０】
2011114804.tif 000012